(57)【要約】【課題】表示しているコンテンツに対する便利な操作を提供できるコンテンツ表示装置を提供することを課題とする。【解決手段】電子書籍が表示される表示部を有するコンテンツ表示装置であって、電子書籍を構成する一表示領域が表示部に表示されている際に、該表示部に対するユーザの視線の動きを取得する手段と、取得された視線の動きが所定の動きであるか否かを判断する手段と、判断する手段により取得された視線の動きが所定の動きであると判断されると、表示部に表示されている電子書籍の一表示領域を該電子書籍の他の表示領域に変更する手段と、を備えることにより上記課題を解決する。【選択図】図４
2017138792.tif 000002
【特許請求の範囲】
【請求項１】
電子書籍が表示される表示部を有するコンテンツ表示装置であって、
前記電子書籍を構成する一表示領域が前記表示部に表示されている際に、該表示部に対するユーザの視線の動きを取得する手段と、
前記取得された視線の動きが所定の動きであるか否かを判断する手段と、
前記判断する手段により前記取得された視線の動きが前記所定の動きであると判断されると、前記表示部に表示されている前記電子書籍の一表示領域を該電子書籍の他の表示領域に変更する手段と、
を備えることを特徴とするコンテンツ表示装置。
【請求項２】
前記変更する手段は、前記表示部に表示させる前記電子書籍の表示領域をページ単位で変更すること
を特徴とする請求項１記載のコンテンツ表示装置。
【請求項３】
前記変更する手段は、前記表示部に表示させる前記電子書籍の表示領域をスクロールにより変更すること
を特徴とする請求項１記載のコンテンツ表示装置。
【請求項４】
コンピュータを請求項１に記載のコンテンツ表示装置として機能させることを特徴とするコンピュータプログラム。
【発明の詳細な説明】
【技術分野】
【０００１】
本発明は、コンテンツ表示装置及びコンピュータプログラムに関する。
【背景技術】
【０００２】
近年、ユーザはスマートフォンや電子ブックリーダなどの電子製品で電子文書を閲覧できるようになった。例えば電子文書を閲覧可能な従来の電子製品には、使用者の眼球の運動軌跡に伴い、電子文書にマーキングを行えるものがあった（特許文献１参照）。
【先行技術文献】
【特許文献】
【０００３】
【特許文献１】特開２０１５−８４２２１号公報
【発明の概要】
【発明が解決しようとする課題】
【０００４】
上記したように、ユーザは電子文書を閲覧可能な従来の電子製品において、手による操作を行うことなく、眼球の運動軌跡に伴い、電子文書にマーキングを行うことを享受してきている。したがって、ユーザは電子文書を閲覧可能な従来の電子製品において、手による操作を不便に思うかもしれない。
【０００５】
本発明の一態様は、表示しているコンテンツに対する便利な操作を提供できるコンテンツ表示装置を提供することを目的とする。
【課題を解決するための手段】
【０００６】
上記の課題を解決するため、本発明の一態様に係るコンテンツ表示装置は、電子書籍が表示される表示部を有するコンテンツ表示装置であって、前記電子書籍を構成する一表示領域が前記表示部に表示されている際に、該表示部に対するユーザの視線の動きを取得する手段と、前記取得された視線の動きが所定の動きであるか否かを判断する手段と、前記判断する手段により前記取得された視線の動きが前記所定の動きであると判断されると、前記表示部に表示されている前記電子書籍の一表示領域を該電子書籍の他の表示領域に変更する手段と、を備えることを特徴とする。
【発明の効果】
【０００７】
本発明の一態様によれば、表示しているコンテンツに対する便利な操作を提供できる。
【図面の簡単な説明】
【０００８】
【図１】本発明の一実施形態に係るコンテンツ表示装置のハードウェア構成図である。
【図２】本発明の一実施形態に係るコンテンツ表示装置のハードウェア構成図である。
【図３】本発明の一実施形態に係るコンテンツ表示装置の機能ブロック図である。
【図４】本発明の一実施形態に係るコンテンツ表示装置の処理手順を示すフローチャートである。
【図５】本発明の一実施形態に係る、表示装置の表示領域を区分けした位置について説明する図である。
【図６】本発明の一実施形態に係る、表示領域にコンテンツが表示された表示装置の概略図である。
【図７】本発明の一実施形態に係る、操作テーブルの構成図である。
【図８】本発明の一実施形態に係る、操作テーブルの構成図である。
【図９】本発明の一実施形態に係る、操作テーブルの構成図である。
【図１０】本発明の一実施形態に係るコンテンツ表示装置の処理手順を示すフローチャートである。
【図１１】本発明の一実施形態に係る、表示領域にコンテンツが表示された表示装置の概略図である。
【図１２】本発明の一実施形態に係る、操作テーブルの構成図である。
【図１３】本発明の一実施形態に係る、コマが配置されたコンテンツを示す概略図である。
【図１４】本発明の一実施形態に係るコンテンツ表示装置の機能ブロック図である。
【発明を実施するための形態】
【０００９】
以下、本発明を実施するための形態について図面を参照しながら説明する。なお、本発明を実施するための形態は下記の実施形態に限定されるものでなく、本発明の技術的範囲に属する様々な実施形態を採りうる。
［第１の実施形態］
＜ハードウェア構成＞
図１は本発明の一実施形態に係るコンテンツ表示装置のハードウェア構成図である。図１のコンテンツ表示装置１０は、入力装置５０１、表示装置５０２、外部Ｉ／Ｆ５０３、ＲＡＭ５０４、ＲＯＭ５０５、ＣＰＵ５０６、通信Ｉ／Ｆ５０７、ＨＤＤ５０８、撮影装置５０９などを備えており、それぞれがバスＢで相互に接続されている。なお、コンテンツ表示装置１０は入力装置５０１及び表示装置５０２を内蔵している形態であっても、必要なときに接続して利用する形態であってもよい。
【００１０】
なお、本明細書において、「コンテンツ」とは電子書籍を指す。該コンテンツの一表示領域（コンテンツの内容をユーザに伝えるべく、文字や図形が適宜配置されている領域：例えば、電子書籍の各ページ等）が表示装置５０２に表示されることにより、ユーザは上記コンテンツを楽しむことができる。本実施形態では、電子書籍としてのコンテンツは、複数の表示領域を有しており、該表示領域は、コンテンツの始めから終わりまでについて、所定の基準で区切られた、表示装置５０２にて表示すべき表示単位（例えば、ページ）である。すなわち、コンテンツ表示装置１０は、所定のコンテンツについて複数に区切られた表示領域を１つずつ表示装置５０２に表示するものである。
【００１１】
入力装置５０１はユーザが各種信号を入力するのに用いるタッチパネル、操作キーやボタン、キーボードやマウスなどである。表示装置５０２は画面を表示する液晶や有機ＥＬなどのディスプレイである。通信Ｉ／Ｆ５０７は、ローカルエリアネットワーク（ＬＡＮ）やインターネットなどのネットワークに接続するためのインタフェースである。コンテンツ表示装置１０は通信Ｉ／Ｆ５０７を利用し、ネットワークを介してサーバ装置からプログラムやコンテンツのダウンロードを行うことができる。また、ＨＤＤ５０８はプログラムやコンテンツを格納する不揮発性の記憶装置の一例である。格納されるプログラムにはコンテンツ表示装置１０全体を制御する基本ソフトウェアであるＯＳ、及びＯＳ上においてコンテンツ表示機能を提供するアプリケーションなどが含まれる。なお、コンテンツ表示装置１０はＨＤＤ５０８に替えて、記憶媒体としてフラッシュメモリを用いるドライブ装置（例えばソリッドステートドライブ：ＳＳＤ）やメモリカードなどの記憶装置を利用するものであってもよい。
【００１２】
外部Ｉ／Ｆ５０３は記録媒体５０３ａなどの外部装置とのインタフェースである。コンテンツ表示装置１０は外部Ｉ／Ｆ５０３を利用して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリなどがある。ＲＯＭ５０５は、電源を切ってもプログラムやコンテンツを保持することができる不揮発性の半導体メモリ（記憶装置）の一例である。ＲＯＭ５０５には、コンテンツ表示装置１０の起動時に実行されるＢＩＯＳなどのプログラム、ＯＳ設定やネットワーク設定などの各種設定が格納されている。ＲＡＭ５０４はプログラムやコンテンツを一時保持する揮発性の半導体メモリ（記憶装置）の一例である。ＣＰＵ５０６は、ＲＯＭ５０５やＨＤＤ５０８などの記憶装置からプログラムやコンテンツをＲＡＭ５０４上に読み出し、処理を実行することで、コンテンツ表示装置１０全体の制御や機能を実現する演算装置である。
【００１３】
撮影装置５０９は可視光カメラ又は赤外線カメラにより撮影を行う。可視光カメラにより撮影を行う撮影装置５０９は、表示装置５０２が表示するコンテンツを見ているユーザの目が写るように撮影を行う。例えば可視光カメラにより撮影されたユーザの画像からはコンテンツを見ているユーザの目の目頭や虹彩の位置を判別できる。コンテンツ表示装置１０は判別したユーザの目の目頭や虹彩の位置から既存の技術により、ユーザの視線の動きを検知できる。また、赤外線カメラにより撮影を行う撮影装置５０９は、赤外線ＬＥＤなどを利用し、コンテンツを見ているユーザの顔に赤外線を照らして、ユーザの目が写るように撮影を行う。例えば赤外線カメラにより撮影されたユーザの画像からはコンテンツを見ているユーザの目の角膜反射と瞳孔の位置を判別できる。コンテンツ表示装置１０は判別したユーザの目の角膜反射と瞳孔の位置から既存の技術により、ユーザの視線の動きを検知できる。なお、撮影装置５０９はユーザの視線の動きを検知できる画像を撮影できるのであれば可視光カメラ、赤外線カメラ以外のカメラであってもよい。
【００１４】
本実施形態に係るコンテンツ表示装置１０は上記したハードウェア構成においてプログラムを実行することにより後述するような各種処理を実現できる。また、コンテンツ表示装置１０は撮影装置５０９が撮影したユーザの画像から、既存の技術によりユーザの視線の動きを検知することができる。なお、図１のコンテンツ表示装置１０は撮影装置５０９を備える（内蔵された）構成であるが、例えば図２に示すように、外部Ｉ／Ｆ５０３を介して接続した撮影装置５０９を利用する構成であってもよい。図２は、本発明の一実施形態に係るコンテンツ表示装置のハードウェア構成図である。図２のコンテンツ表示装置１０は撮影装置５０９が脱着可能に外付けされていることが図１のコンテンツ表示装置１０と異なっている。
【００１５】
＜ソフトウェア構成＞
本実施形態に係るコンテンツ表示装置１０は例えば図３に示す機能ブロックにより実現される。図３は本発明の一実施形態に係るコンテンツ表示装置の機能ブロック図である。コンテンツ表示装置１０は図４や図１０に示すプログラムを実行することで、コンテンツ表示制御部２０、撮影制御部２２、視線検知部２４、操作判断部２６、視線記憶部２８、操作テーブル記憶部３０を実現する。
【００１６】
コンテンツ表示制御部２０は表示装置５０２へのコンテンツの表示を制御する。コンテンツ表示制御部２０は、表示領域としてページ単位に区切られているコンテンツの場合に、表示装置５０２に表示されているページを進める操作（ページめくり操作）をユーザから受け付け、表示装置５０２に表示されているコンテンツのページを進める。また、コンテンツ表示制御部２０はページ単位に区切られているコンテンツの場合に、表示装置５０２に表示されているページを戻す操作（ページもどり操作）をユーザから受け付け、表示装置５０２に表示されているコンテンツのページを戻す。このようにコンテンツ表示制御部２０はページめくり操作やページ戻り操作をユーザから受け付け、表示装置５０２に表示されているコンテンツのページ（表示領域）を変化させる。また、コンテンツ表示制御部２０はページ単位に区切られていないコンテンツの場合に、表示装置５０２に表示されているコンテンツの表示位置（表示領域）を上下や左右に変化させる操作（スクロール操作）をユーザから受け付け、表示装置５０２に表示されているコンテンツの表示領域を変化させる。
【００１７】
撮影制御部２２は撮影装置５０９による撮影を制御する。撮影制御部２２は、表示装置５０２が表示するコンテンツを見ているユーザの目が写るように、撮影装置５０９による撮影を制御する。撮影制御部２２は撮影装置５０９に動画を撮影させてもよいし、所定時間ごとに静止画を撮影させてもよい。視線検知部２４は撮影装置５０９が撮影した動画や静止画などの画像に写るユーザの目から、ユーザの視線の動きを検知する。視線検知部２４はユーザの視線の動きを既存の技術により、ユーザの視線が注がれているコンテンツ上の視線位置で表すことができる。視線検知部２４は検知したユーザの視線の動きを視線記憶部２８に記憶させる。
【００１８】
操作判断部２６は視線記憶部２８に記憶されているユーザの視線の動きと、操作テーブル記憶部３０に記憶されている操作テーブルと、に基づき、ユーザの視線の動きと対応付けられた操作を判断する。操作テーブルにはユーザの視線の動きと操作とが対応付けられている。したがって、操作判断部２６は視線記憶部２８に記憶されているユーザの視線の動きが操作テーブルに記憶されていれば、そのユーザの視線の動きと対応付けられている操作を判断できる。コンテンツ表示制御部２０は、操作判断部２６により判断された操作に基づき、表示装置５０２に表示されているコンテンツの表示領域を変化させる。
【００１９】
＜処理＞
次に、本実施形態に係るコンテンツ表示装置１０の処理について説明する。図４は本発明の一実施形態に係るコンテンツ表示装置の処理手順を示すフローチャートである。図４に示すコンテンツ表示装置１０の処理は、コンテンツ表示機能を提供するアプリケーションをユーザが起動することで開始される。
【００２０】
ステップＳ１０において、ユーザはコンテンツ表示装置１０を操作し、表示するコンテンツを指定する。ユーザからコンテンツを指定されたコンテンツ表示装置１０のコンテンツ表示制御部２０は表示装置５０２に指定されたコンテンツ（例えば、書籍）を電子化したコンテンツデータに従って該コンテンツ（電子書籍）を表示する。ステップＳ１１においてコンテンツ表示装置１０の撮影制御部２２は表示装置５０２が表示するコンテンツを見ているユーザの目が写るように、撮影装置５０９による撮影を制御する。ステップＳ１２においてコンテンツ表示装置１０の視線検知部２４は、撮影装置５０９が撮影した画像に写るユーザの目からユーザの視線の動きを検知する視線検知処理を行う。ステップＳ１２の視線検知処理ではユーザの視線の動きを、ユーザの視線が注がれているコンテンツ上の視線位置で表す。
【００２１】
ユーザの視線が注がれているコンテンツ上の視線位置は、例えば図５に示すように表示装置５０２の表示領域を区分けした位置により表される。図５は本発明の一実施形態に係る、表示装置の表示領域を区分けした位置について説明する図である。図５では表示装置５０２の表示領域を位置Ａ１〜Ｅ７に区分けしている。表示装置５０２の表示領域を区分けする粒度はコンテンツの種別や視線検知の精度などにより変化させることが望ましい。表示装置５０２の表示領域を区分けする粒度は、視線検知部２４が検知したユーザの視線の動きにより、ユーザがコンテンツの表示領域を変化させたいと考えるであろうタイミングを判断できる粒度とする。図６は本発明の一実施形態に係る、表示領域にコンテンツが表示された表示装置の概略図である。図６の表示領域に表示されている格子状の線は図５の位置Ａ１〜Ｅ７との関係を明確にするためのものであり、実際に表示されているものではない。図６に表示されているコンテンツのページには縦書きの文章が５行、含まれている。また、図６に表示されているコンテンツのページは文章が位置Ｅ１から始まり、位置Ａ７で終わっているものとする。例えば図６の例では、ユーザの視線が位置Ａ７に注がれている場合に、現在表示されているページを読み終わり、ページをめくりたいと考えるであろうタイミングとして判断する。
【００２２】
コンテンツ表示装置１０の操作テーブルは、ユーザがコンテンツの表示領域を変化させたいと考えるであろうタイミングをユーザの視線の動きにより表し、そのタイミングで行う操作を対応付けて保存する。図７は本発明の一実施形態に係る、操作テーブルの構成図である。図７に示した操作テーブルは、ユーザの視線が位置Ａ７に注がれた場合に、ページめくり操作を行うことを示している。図４のステップＳ１２に戻り、視線検知部２４は検知したユーザの視線の動きを図５の位置Ａ１〜Ｅ７で表して視線記憶部２８に記憶させる。ステップＳ１３に進み、コンテンツ表示装置１０の操作判断部２６は視線記憶部２８に記憶したユーザの視線の動きが、操作テーブルにおいて操作と対応付けられている視線の動きであるか否かを判断する。視線記憶部２８に記憶したユーザの視線の動きが、操作テーブルにおいて操作と対応付けられている視線の動きであれば、コンテンツ表示装置１０の操作判断部２６はステップＳ１４に進み、ユーザの視線の動きと対応付けられているページめくり操作に基づき、コンテンツ表示制御部２０にページめくり処理を行わせる。
【００２３】
ステップＳ１４のページめくり処理の後、又は、ステップＳ１３において、視線記憶部２８に記憶したユーザの視線の動きが操作テーブルにおいて操作と対応付けられている視線の動きでないと判断されると、コンテンツ表示制御部２０はステップＳ１５の処理に進む。コンテンツ表示制御部２０は、ユーザからコンテンツの表示終了の指示が無ければステップＳ１１に戻り、図４のフローチャートの処理を続ける。このように、本実施形態に係るコンテンツ表示装置１０はユーザの視線の動きから、ユーザのページめくりのタイミングを予測して、自動的にページめくり処理を行うことができる。
【００２４】
コンテンツ表示装置１０の操作テーブルは、ユーザがコンテンツの表示領域を変化させたいと考えるであろうタイミングを、例えば図８に示すように表し、そのタイミングで行う操作を対応付けて保存してもよい。図８は本発明の一実施形態に係る、操作テーブルの構成図である。図８に示した操作テーブルは、ユーザがコンテンツの表示領域を変化させたいと考えるであろうタイミングを、ユーザの視線が注がれた位置の遷移により表している。例えば図８の操作テーブルでは、ユーザの視線が位置Ａ５→Ａ６→Ａ７の順番に注がれた場合に、ページめくり操作を行うことを示している。位置Ａ５→Ａ６→Ａ７の順番に注がれるユーザの視線の動きは図６のコンテンツの最終行を読み終わる直前のユーザの視線の動きを表したものである。また、図８の操作テーブルでは、ユーザの視線が位置Ａ７→Ｅ１の順番に注がれた場合に、ページめくり操作を行うことを示している。位置Ａ７→Ｅ１の順番に注がれるユーザの視線の動きは図６のコンテンツの最終行を読み終わったあと、次のページの最初の行を読むためのユーザの視線の動きを表したものである。このように、本実施形態に係るコンテンツ表示装置１０はユーザの視線の動きから、ユーザのページめくりのタイミングを予測して、自動的にページめくり処理を行うことができる。
【００２５】
コンテンツ表示装置１０の操作テーブルは、ユーザがコンテンツの表示領域を変化させたいと考えるであろうタイミングを、例えば図９に示すように表し、そのタイミングで行う操作を対応付けて保存してもよい。図９は本発明の一実施形態に係る、操作テーブルの構成図である。図９に示した操作テーブルは、ユーザがコンテンツの表示領域を変化させたいと考えるであろうタイミングを、ユーザの視線が注がれた位置及び条件により表している。例えば図９の操作テーブルでは、ユーザの視線が位置Ａ７に１秒以上注がれた場合に、ページめくり操作を行うことを示している。また、図９の操作テーブルでは、ユーザの視線が位置Ｅ１に１秒以上注がれた場合に、ページもどり操作を行うことを示している。ユーザがコンテンツの表示領域を変化させたいと考えるであろうタイミングを、ユーザの視線が注がれた位置及び条件により表すことで、本実施形態に係るコンテンツ表示装置１０は操作テーブルに保存できる操作の数を増やすことができる。また、本実施形態に係るコンテンツ表示装置１０はユーザの視線が注がれた位置及び条件により表すことで、ユーザがコンテンツの表示領域を変化させたいと考えるであろうタイミングの予測精度を上げることができるようになる。
【００２６】
図４のフローチャートはページ単位に区切られているコンテンツのページめくり操作やページ戻り操作をユーザから視線の動きにより受け付け、表示装置５０２に表示されているコンテンツに対してページめくり操作やページもどり操作を行うものである。本実施形態に係るコンテンツ表示装置１０は図１０のフローチャートに示すように、ページ単位に区切られていないコンテンツの表示領域を変化させるスクロール操作を、ユーザの視線の動きから受け付け、表示装置５０２に表示されているコンテンツの表示領域を変化させるようにしてもよい。図１０は本発明の一実施形態に係るコンテンツ表示装置の処理手順を示すフローチャートである。図１０のフローチャートは図４のフローチャートの処理と一部を除いて同様であるため、適宜説明を省略する。
【００２７】
ステップＳ２０〜Ｓ２１の処理は図４のステップＳ１０〜Ｓ１１の処理と同様であるため説明を省略する。ステップＳ２２においてコンテンツ表示装置１０の視線検知部２４は撮影装置５０９が撮影した画像に写るユーザの目からユーザの視線の動きを検知する視線検知処理を行う。ステップＳ２２の視線検知処理ではユーザの視線の動きを、ユーザの視線が注がれている例えば図１１のコンテンツ上の視線位置で表す。図１１は本発明の一実施形態に係る、表示領域にコンテンツが表示された表示装置の概略図である。図１１の表示領域に表示されている格子状の線も図５の位置Ａ１〜Ｅ７との関係を明確にするためのものであり、実際に表示されているものではない。図６に表示されているコンテンツはページ単位に区切られていないコンテンツであり、上下にスクロール可能な例を示している。例えば図１１の例では、ユーザの視線が位置Ａ７〜Ｅ７に注がれている場合に、現在表示されている表示位置を上へスクロールしたいと考えるであろうタイミングとして判断する。
【００２８】
図１２は本発明の一実施形態に係る、操作テーブルの構成図である。図１２に示した操作テーブルはユーザの視線が位置Ａ７〜Ｅ７に注がれた場合に、上方向への６行分のスクロール操作を行うことを示している。また、図１２に示した操作テーブルはユーザの視線が位置Ａ１〜Ｅ１に注がれた場合に、下方向への６行分のスクロール操作を行うことを示している。図１０のステップＳ２２に戻り、視線検知部２４は検知したユーザの視線の動きを視線記憶部２８に記憶させる。ステップＳ２３に進み、コンテンツ表示装置１０の操作判断部２６は視線記憶部２８に記憶したユーザの視線の動きが、操作テーブルにおいて操作と対応付けられている視線の動きであれば、ステップＳ２４に進む。ステップＳ２４では、操作判断部２６が、ユーザの視線の動きと対応付けられているスクロール操作に基づき、コンテンツ表示制御部２０にスクロール処理を行わせる。
【００２９】
ステップＳ２４のスクロール処理の後、又は、ステップＳ２３において、視線記憶部２８に記憶したユーザの視線の動きが操作テーブルにおいて操作と対応付けられている視線の動きでないと判断されると、コンテンツ表示制御部２０は図４のステップＳ１５と同様なステップＳ２５の処理を行う。このように、本実施形態に係るコンテンツ表示装置１０はユーザの視線の動きから、ユーザのスクロールのタイミングを予測して、自動的にスクロール処理を行うことができる。
【００３０】
コンテンツ表示装置１０の操作テーブルは、ユーザがページ単位に区切られていないコンテンツをスクロールさせたいと考えるであろうタイミングを図８と同様に、ユーザの視線が注がれた位置の遷移により表してもよい。また、操作テーブルは、ユーザがページ単位に区切られていないコンテンツをスクロールさせたいと考えるであろうタイミングを図９と同様に、ユーザの視線が注がれた位置及び条件により表してもよい。このように、本実施形態に係るコンテンツ表示装置１０はユーザの視線の動きから、ユーザのスクロールのタイミングを予測して、自動的にスクロール処理を行うことができる。
【００３１】
図６及び図１１では文書が含まれるコンテンツの例を示したが、例えば図１３に示すようにコマが配置されたコンテンツであってもよい。図１３は本発明の一実施形態に係る、コマが配置されたコンテンツを示す概略図である。本実施形態に係るコンテンツ表示装置１０はユーザの視線の動きから、漫画のようなコマが配置されたコンテンツのスクロール処理を自動的に行うことができる。また、図３のコンテンツ表示装置１０の機能ブロックは一例であって、例えば図１４に示すような機能ブロックであってもよい。図１４は本発明の一実施形態に係るコンテンツ表示装置の機能ブロック図である。図１４のコンテンツ表示装置１０は撮影制御部２２及び視線検知部２４がコンテンツ表示装置１０と接続された視線検知モジュール４０により実現される。なお、本実施形態に係るコンテンツ表示装置１０は視線検知のためのキャリブレーションが必要であれば事前にキャリブレーションを行い、視線検知のためのキャリブレーションが不要であれば省略される。
【００３２】
本発明は、具体的に開示された上記の実施形態に限定されるものではなく、特許請求の範囲から逸脱することなく、種々の変形や変更が可能である。
【符号の説明】
【００３３】
１０    コンテンツ表示装置
２０    コンテンツ表示制御部
２２    撮影制御部
２４    視線検知部
２６    操作判断部
２８    視線記憶部
３０    操作テーブル記憶部
４０    視線検知モジュール
５０１    入力装置
５０２    表示装置
５０３    外部Ｉ／Ｆ
５０３ａ    記録媒体
５０４    ＲＡＭ
５０５    ＲＯＭ
５０６    ＣＰＵ
５０７    通信Ｉ／Ｆ
５０８    ＨＤＤ
５０９    撮影装置
Ｂ    バス
【図１】
2017138792.tif 000003
【図２】
2017138792.tif 000004
【図３】
2017138792.tif 000005
【図４】
2017138792.tif 000006
【図５】
2017138792.tif 000007
【図６】
2017138792.tif 000008
【図７】
2017138792.tif 000009
【図８】
2017138792.tif 000010
【図９】
2017138792.tif 000011
【図１０】
2017138792.tif 000012
【図１１】
2017138792.tif 000013
【図１２】
2017138792.tif 000014
【図１３】
2017138792.tif 000015
【図１４】
2017138792.tif 000016